(57)【要約】【課題】クロストークの発生を抑えることで複数の方向の焦点検出を高精度に行うことができる焦点検出光学系、焦点検出装置およびそれを用いた光学機器を提供する。【解決手段】撮像光学系を通過した光束を分割し、前記分割された光束により形成される複数の像の相対的な位置関係に応じて、前記撮像光学系の合焦状態を検出する焦点検出装置に用いられる焦点検出光学系であって、前記複数の像を前記撮像光学系を通過した光束の分割方向と交差する方向に互いに離れるように偏向させる偏向手段と、前記偏向手段による偏向とは反対方向の偏向を与えることで前記偏向手段による像の崩れを補正する補正手段と、を有する。【選択図】図１
2016038496.tif 000002
【特許請求の範囲】
【請求項１】
撮像光学系を通過した光束を分割し、前記分割された光束により形成される複数の像の相対的な位置関係に応じて、前記撮像光学系の合焦状態を検出する焦点検出装置に用いられる焦点検出光学系であって、
前記複数の像を前記撮像光学系を通過した光束の分割方向と交差する方向に互いに離れるように偏向させる偏向手段と、
前記偏向手段による偏向とは反対方向の偏向を与えることで前記偏向手段による像の崩れを補正する補正手段と、
を有することを特徴とする焦点検出光学系。
【請求項２】
前記偏向手段は、前記複数の像を前記分割方向と垂直な方向に偏向させることを特徴とする請求項１に記載の焦点検出光学系。
【請求項３】
前記偏向手段は、前記分割方向と交差する方向に傾き偏心したプリズムであり、
前記補正手段は、前記分割方向と交差する方向に平行偏心したレンズであることを特徴とする請求項１または２に記載の焦点検出光学系。
【請求項４】
前記プリズムは、前記分割方向と垂直方向に物体像に関する複数の光量分布を互いに反対方向に偏向させる一対のプリズム要素を備え、
前記レンズは、前記一対のプリズム要素に対応した一対の正の屈折力を備えるレンズ要素を備え、前記一対のレンズ要素は互いに反対方向に平行偏心していることを特徴とする請求項３に記載の焦点検出光学系。
【請求項５】
前記一対のプリズム要素および前記一対のレンズ要素は、複数の方向に設けられることを特徴とする請求項４に記載の焦点検出光学系。
【請求項６】
前記プリズムと前記レンズは、一体的に構成されることを特徴とする請求項３乃至５のいずれか１項に記載の焦点検出光学系。
【請求項７】
前記撮像光学系の予定結像面に形成される物体像を前記焦点検出装置の光検出素子に結像する２次結像光学系として構成されることを特徴とする請求項１乃至６のいずれか１項に記載の焦点検出光学系。
【請求項８】
前記２次結像光学系は、前記偏向手段および前記補正手段への光束を規制する絞りを有することを特徴とする請求項７に記載の焦点検出光学系。
【請求項９】
前記２次結像光学系は、光路に沿って前記絞り、前記偏向手段、前記補正手段の順に設けられることを特徴とする請求項８に記載の焦点検出光学系。
【請求項１０】
請求項１乃至９のいずれか１項に記載の焦点検出光学系と、
光検出素子として、相関方向に対して垂直方向に離れて配置され複数の画素より成る画素列を備えた複数の光電変換素子と、
を有することを特徴とする焦点検出装置。
【請求項１１】
請求項１０に記載の焦点検出装置と、前記焦点検出装置で求めた合焦信号に基づいて前記撮像光学系を合焦状態へ駆動させることを特徴とする光学機器。
【発明の詳細な説明】
【技術分野】
【０００１】
本発明は、焦点検出光学系、焦点検出装置およびそれを用いた光学機器に関する。そして、特に対物レンズの焦点調節状態を所謂像ずれ方式（ 位相差検出方式） を用いて検出するようにした、例えば一眼レフレックスカメラ、一眼レフレックス電子カメラ、デジタルカメラ、そしてビデオカメラ等の光学機器に好適なものである。
【背景技術】
【０００２】
従来、多くの写真用カメラあるいはビデオカメラは、自動焦点調節のための焦点検出装置を内蔵している。一眼レフカメラのように厳しいピント精度が要求される焦点検出装置においては、対物レンズ（ 撮影レンズ） による結像光束を一対の２次結像光学系へ導き、これら２次結像光学系により形成された物体像（被写体像） に関する複数の光量分布を得る。即ち、物体像（被写体像） に関する複数の光量分布を光電変換素子の画素列（ ラインセンサー列） で受け、両光量分布の相対的位置関係から対物レンズの焦点調節状態を検出する像ずれ方式（位相差方式）を用いた焦点検出装置が一般的に用いられている。
【０００３】
焦点を検出するためには、原理的に光電変換素子の画素列に垂直な方向にパターンを有する被写体の光量分布が必要で、被写体によっては受光素子列に光量分布か生じないために焦点検出ができないという問題を有していた。
【０００４】
これを解決するため、撮影範囲中に横方向（水平方向）と縦方向（垂直方向）に測距領域を設定し、直交する１対の２次結像や、画素列を直交させるような二組の受光素子列を配置した受光手段を用いる焦点検出装置が提案され実用化されている。この装置では、被写体の光量分布の方向に依らず、焦点検出を可能とする。
【０００５】
加えて、撮影範囲中の横方向や縦方向に対して、特定の角度を持たせて（たとえば４５°）測距領域を設定することで、横方向と縦方向だけでなく、特定の角度方向にも焦点検出能力の高い焦点検出装置も実用化されている。
【０００６】
しかし、新たに測距領域を設定する際には、新たに配置した２次結像光学系によりセンサー上にできた像が、既存の画素列に入らないようにする必要がある。もし、新設の光学系による像が既存の画素列に入射した場合は、既存の画素列から正確な光量分布を得ることができず、正しい焦点調節状態の情報を得ることができない。
【０００７】
図１５では、センサー画素列において、斜め方向の像が横方向の画素列に入射して、センサー上で像のクロストークが発生している様を描いている。図１５で、視野マスクの像２１が２次結像レンズによってセンサー上に投影されており、２次結像レンズのレンズ要素の数と同じ数の視野マスク像が、センサー上に存在する。なお、図１５では、縦方向と横方向の焦点検出に加えて、斜め方向の焦点検出ができるように構成されており、縦方向、横方向、斜め方向に光電変換素子１８、１９、２０が設けられている。
【０００８】
一般的には、測距領域は撮影範囲中に縦横方向に範囲を持つ四角形の領域をとるため、特定の角度を持たせて測距領域を設定することは、既存の横方向や縦方向の画素列を避けて２次結像光学系を配置することに適してはいる。
【０００９】
しかし近年、測距点の数や密度を高くするなど、測距領域は拡大される傾向にあり、センサー上にできる２次結像光学系の像の領域もそれに応じて拡大し、センサー上のクロストークが発生し易い傾向にある。クロストークを回避するためには、測距領域を拡大せずに小さい領域を設定するか、或いは、光学系の結像倍率を小さくして像の重なりを回避する方法がある。前者は測距領域を拡大して画面の全体で、焦点検出を行いたいという流れに反するし、後者は結像倍率を下げることで焦点検出の精度が低下することを招いてしまう。
【００１０】
従来、２次結像光学系の像のセンサー上での位置を任意に補正する方法として、２次結像光学系を構成する絞りと２次結像レンズを、光軸方向に垂直な面内に偏心をさせ、任意に結像位置を変化させる方法が知られている（特許文献１）。また、２次結像光学系を構成する２次結像レンズの前面に配置されるプリズム面により、光を偏向させてセンサー上での像位置を変化させる方法も知られている（特許文献２）。
【先行技術文献】
【特許文献】
【００１１】
【特許文献１】特開２００１−６６４９６号公報
【特許文献２】特開２００５−１９５７８６号公報
【発明の概要】
【発明が解決しようとする課題】
【００１２】
しかし、２次結像光学系の偏心を用いた方法や、２次結像レンズのプリズムを用いた方法では、以下のような問題が存在する。
【００１３】
即ち、偏心や偏向を用いる方法において、相関方向にセンサー上の像移動を行うと、焦点検出の性能に大きく影響を与えるため、大きな偏心を与えて像を動かすことができない。このため、相関方向と垂直方向（相関垂直方向）に偏心を与えて、センサー上の像位置を移動させることになる。この時、偏心を行った相関垂直方向には、コマ収差が発生し、スポット形状が偏心方向にスポットの尾を引いた形状となってしまい、偏心による像の移動に加えて、コマ収差が発生したことによる像の移動が発生する。
【００１４】
センサー上の画素列に対して、相関垂直方向に像がずれている場合、被写体のパターンが相関方向に対して傾いていると、焦点検出の精度が劣化する。例えば、被写体のパターンが画素列に対して斜め４５°に存在すると、相関垂直方向の像のずれと同等の値が相関方向に乗るため、その量だけ焦点検出の位置がずれる。
【００１５】
上記のずれは、画素列の中心が像の中心となるようにセンサー画素列を配置したり、センサー上に遮光手段を用いたりすることで調整し、回避ができる。しかし、これらの対策は、設計上の調整しかできず、一つ一つの個体に対しては調整ができない。そして、コマ収差による像の移動に起因した斜めパターンの検出位置のズレは、製造誤差や組立誤差によって絞りと２次結像レンズの偏心状態が異なることで収差状態が変わるため、敏感に変動してしまう。
【００１６】
本発明の目的は、クロストークの発生を抑えることで複数の方向の焦点検出を高精度に行うことができる焦点検出光学系、焦点検出装置およびそれを用いた光学機器を提供することにある。
【課題を解決するための手段】
【００１７】
上記目的を達成するために、本発明に係る焦点検出光学系は、撮像光学系を通過した光束を分割し、前記分割された光束により形成される複数の像の相対的な位置関係に応じて、前記撮像光学系の合焦状態を検出する焦点検出装置に用いられる焦点検出光学系であって、前記複数の像を前記撮像光学系を通過した光束の分割方向と交差する方向に互いに離れるように偏向させる偏向手段と、前記偏向手段による偏向とは反対方向の偏向を与えることで前記偏向手段による像の崩れを補正する補正手段と、を有することを特徴とする。
【００１８】
また、本発明に係る焦点検出装置は、上記焦点検出光学系を有することを特徴とする。
【００１９】
また、本発明に係る光学機器は、上記焦点検出装置系を有することを特徴とする。
【発明の効果】
【００２０】
本発明によれば、クロストークの発生を抑えることで複数の方向の焦点検出を高精度に行うことができる。
【図面の簡単な説明】
【００２１】
【図１】本発明の実施形態に係る焦点検出光学系および焦点検出装置を搭載した光学機器（撮像装置）としての一眼レフレックスカメラを示す図である。
【図２】一眼レフレックスカメラにおける測距枠イメージ図である。
【図３】一眼レフレックスカメラにおける視野マスクを示す図である。
【図４】本発明の実施形態に係る焦点検出光学系としての２次結像光学系における絞りを示す図である。
【図５】本発明の実施形態に係る焦点検出光学系における２次結像レンズのプリズム部のプリズム面を示す図である。
【図６】本発明の実施形態に係る２次結像レンズのレンズ部のレンズ面を示す図である。
【図７】本発明の実施形態に係るＡＦセンサの画素列の説明図である。
【図８】本発明の実施形態に係る相関方向断面の焦点検出光学系の説明図である。
【図９】比較例としての相関垂直方向断面の焦点検出光学系（非偏心）の説明図である。
【図１０】本発明の実施形態に係る相関垂直方向断面の焦点検出光学系（偏心）の説明図である。
【図１１】相関垂直方向断面の焦点検出光学系（非偏心）における非偏心スポット像の図である。
【図１２】相関垂直方向断面の焦点検出光学系（レンズ部の平行偏心あり）における偏心スポット像の図である。
【図１３】相関垂直方向断面の焦点検出光学系（プリズム部の傾き偏心あり）における偏心スポット像の図である。
【図１４】本発明の実施形態に係る焦点検出光学系としての２次結像光学系の作用を説明する図である。
【図１５】従来のＡＦセンサの画素列の説明図である。
【発明を実施するための形態】
【００２２】
以下、図面を用いて本発明の実施形態を説明する。
【００２３】
（光学機器）
図１は、本実施形態に係る焦点検出光学系および焦点検出装置を搭載した光学機器（撮像装置）としての一眼レフレックスカメラを示す。図中、１は脱着可能又は固定の対物光学系としての対物レンズ（撮影レンズ）、Ｍ１は対物レンズ１の光軸上に配置された半透過性の主ミラーである。
【００２４】
対物レンズ１を通過した被写体からの光束は、主ミラーＭ１により２つの光束に分割される。先ず、反射された光束は焦点板２に被写体像を形成し、該被写体像（ファインダー像）はペンタプリズムＰを介して接眼レンズ３により観察される。なお、焦点板２、ペンタプリズムＰ、接眼レンズ３の各要素は、ファインダー系の一要素を構成している。
【００２５】
一方、主ミラーＭ１を透過した光束は、対物レンズ１の像面側に光軸上に対して斜めに配置された可動なサブミラーＭ２を介して、以下に述べる焦点検出装置（焦点検出系）に入射する。そして、焦点検出系で得られた出力信号に基づき、不図示の駆動機構によって対物レンズ１の焦点状態が調節される。
【００２６】
図２は、撮影画面に対して配置された、測距領域と測距箇所を示す測距枠のイメージ図である。図３は、視野マスクであり１次結像面近辺に配置され、測距領域の光束以外を遮光している。
【００２７】
（焦点検出光学系および焦点検出装置）
本実施形態に係る焦点検出装置（焦点検出系）は、いわゆる位相差ＡＦを行うものであり、撮像光学系を通過した光束を分割し、分割された光束により形成される複数の像の相対的な位置関係に応じて、撮像光学系の合焦状態を検出する。即ち、撮像光学系を通過した光束の分割方向における焦点検出を行う２つの像の間隔（物体像に関する光量分布の間隔）を測ることで焦点検出を行い、焦点検出装置で求めた合焦信号に基づいて撮像光学系としての対物レンズを合焦状態へ駆動させる。以下、本明細書で、撮像光学系を通過した光束の分割方向を相関方向ともいう。
【００２８】
そして、本実施形態に係る焦点検出装置は、図１におけるサブミラーＭ２で反射された光路に設けられ、焦点検出装置は、焦点検出光学系として以下に述べる２次結像光学系Ｓと、光電変換素子８とを備える。ここで、図１における４は対物レンズ１の予定結像面である。また、５はフィールドレンズであり、予定結像面４（略予定結像面も含む）上に光軸を一致させている。
【００２９】
図１、図１４に示す２次結像光学系Ｓは、フィールドレンズ５、絞り６、プリズム７、正の屈折力を備えるレンズ７’を備える。図４は絞り６を示し、対となる縦方向の測距領域に対応した開口、対となる横方向の測距領域に対応した開口、対となる斜め方向の測距領域に対応した開口が２組ずつ存在している。
【００３０】
また、図５はプリズム７を示し、後述するレンズ７’と一体化された２次結像レンズの前面のプリズム部のプリズム面を前方より観察したものである。プリズム７には、絞り６の開口の数と同じ数のプリズム要素が存在している。例えば、Ａ方向を相関方向とする絞り６の開口６ａ、６ｂ（図４）に対応して、プリズム要素７ａ、７ｂ（図５）が設けられている。
【００３１】
図６は、２次結像レンズにおけるレンズ部としてのレンズ７’の後面のレンズ面を後方より観察したものであり、光束を規制する絞り６の開口やプリズム７の数と同数のレンズ要素が存在している。例えば、Ａ方向を相関方向とする絞り６の開口６ａ、６ｂ（図４）、プリズム要素７ａ、７ｂ（図５）に対応して、レンズ要素７’ａ、７’ｂが設けられている。なお、図６で、十字のマークは、各レンズ要素の頂点位置を示している。
【００３２】
図７は、光検出素子（ＡＦセンサ）として複数の画素より成る画素列を備えた複数の光電変換素子を示す。例えば、Ａ方向を相関方向とする絞り６の開口６ａ、６ｂ（図４）、プリズム要素７ａ、７ｂ（図５）に対応して、素子８ａ、８ｂが設けられている。
【００３３】
なお、図４乃至図７では、縦方向と横方向の焦点検出に加えて、斜め方向の焦点検出ができるように構成されている。図７では、縦方向、横方向、斜め方向に光電変換素子Ｐ、Ｑ、Ｒが設けられている。
【００３４】
２次結像光学系Ｓは、絞り６（図４）の例えば開口６ａ、６ｂを介した複数の光量分布に基づく物体像を相関方向（Ａ方向）に２つに分離し、該分離した２つの物体像を各々光電変換素子８ａ、８ｂ（図７）面上に結像させる。
【００３５】
本実施形態における２次結像光学系は、分離される２つの物体像に基づく２つの光束を相関方向（Ａ方向）と交差する方向（好ましくは垂直方向）に、かつ互いに反対の方向に偏向させる偏向手段を備える。即ち、一対のプリズム要素７ａ、７ｂを有するプリズム部７（図５）を備える。
【００３６】
一対のプリズム要素７ａ、７ｂは、２つの物体像を相関方向（Ａ方向）と交差する方向（好ましくは垂直方向）に互いに反対方向に（互いに離れるように）偏向させる機能を備える。本実施形態では、２つの物体像に基づく２つの光束を相関方向（Ａ方向）に互いに反対方向に偏向させる機能を備える２つのプリズム要素を相関方向（Ａ方向）の周りに偏心（回転）させたものを用いる。
【００３７】
また、本実施形態における２次結像光学系は、分離した２つの物体像を各々光電変換素子８面上に結像させるレンズ要素７’ａ、７’ｂを備えたレンズ部７’（図６）を備える。
【００３８】
ここで、本実施形態では、プリズム部７による相関垂直方向の像変位に伴うコマ収差によるスポット形状の崩れ（相関垂直方向にスポットの尾を引いた形状）を、レンズ部７’の平行偏心でプリズム部７ａと逆方向にスポット形状の崩れが発生するようにする。具体的には、相関垂直方向断面（相関方向Ａと垂直な方向とフィールドレンズ５の光軸方向を含む面）で、プリズム要素７ａ、７ｂに対応したレンズ部７’ａ、７’ｂを互いの光軸が近づくように平行偏心させる。
【００３９】
これにより、プリズム部７とレンズ部７’により、位相差ＡＦにおけるセンサ上の重なりを回避すると共に、相関垂直方向の像変位に伴う光学特性の低下（特にコマ収差によるスポット形状の崩れ）を改善（補正）する。
【００４０】
レンズ部７’は、尾の発生には敏感であるが、像変位には敏感でないため、位相差ＡＦにおけるセンサ上の重なりを十分に回避することができる。そして、レンズ部７’は本実施形態のようにプリズム部７と一体的に構成（形成）することができる。なお、プリズム部７とレンズ部７’の光路中の先後を逆にした配置をすることもできる。
【００４１】
光電変換素子８に関しては、複数の素子より成るラインセンサー列（ラインセンサー列）である例えば８ａ、８ｂ（図７）が、この場合の相関方向（焦点検出を行う２つの像の間隔（物体像に関する光量分布の間隔）を測るＡ方向）に設けられている。そして、ラインセンサー列８ａ、８ｂは、この場合の相関方向であるＡ方向に対して垂直方向に離れて配置されており、高い焦点検出精度を得ることができる。
【００４２】
図８は、本実施形態における相関方向断面（相関方向Ａとフィールドレンズ５の光軸方向を含む面）の焦点検出光学系の模式図である。撮影レンズにより生成される像位置をセンサー画素列相関方向（Ａ方向）の演算により、検出している。図中の太線矢印は、絞り開口の中心を通る光線を示しており、光学系の光路イメージを説明する主光線として扱う。本実施形態では、図８のプリズム部７は、絞り６に対して紙面垂直方向に偏心されている。
【００４３】
図９は、相関方向垂直断面における、比較例としての焦点検出光学系の模式図である。相関方向（Ａ方向）に垂直なため、画素列は紙面奥行き方向に配置されており、図では画素列の並びは見えていない。相関垂直方向は、２次結像レンズの偏心状態と焦点検出精度と直接的に関係は無いため、プリズム面はプリズム作用を持たない平面であり、レンズ面も絞りに対して偏心させる必要はない。
【００４４】
しかし、センサーの画素列レイアウトを最適な配置に変更する際は、図１０のように相関垂直断面の２次結像光学系を偏心させる。これにより、主光線経路のように光路が偏向され、像位置を移動させることが可能である。
【００４５】
本実施形態では、プリズム部７とレンズ部７’の光学的作用により２次結像位置が相関方向であるＡ方向に対して垂直方向に綺麗に変位する。このような配置をとることで、２つの２次像が重複することを無くすことができる。これにより、長いラインセンサー配列を得ることができ、また広い測距領域が確保でき、更には大きな２次結像倍率によって焦点検出精度を向上させることが容易となる。
【００４６】
表１は、本実施形態の効果を示す焦点検出光学系の光学情報と偏心情報を示している。なお、表２は、本実施形態の光学情報を示している（表１とは、２次結像レンズプリズム面の法線ベクトルｇｘｘ，ｇｘｙ，ｇｘｚの値、レンズ面のＺの値が異なる。）。
【００４７】
ｅａは各要素の有効径を示している。ｒは、各要素の曲率を示している。ＸはＸ座標であり、光学系の光軸を表している。Ｙは焦点検出系相関方向の軸を表している。Ｚは相関方向垂直方向の軸を表している。ｇｘｘ，ｇｘｙ，ｇｘｚは各面の法線ベクトルを示しており、末尾のアルファベットが座標軸を表している。表１Ａと表１Ｂは、それぞれ対となる光学系の偏心配置を示している。
【００４８】
表１では、プリズム面の法線ベクトルのｇｘｚ成分がゼロであるのに対し、表２では数値を持っている。法線ベクトルのｇｘｚ成分は、相関方向垂直方向に光線を偏向させるためのプリズム傾き成分を表している。つまり、表１では、相関方向垂直方向に光線の偏向をさせないのに対し、表２では、偏向を発生させていることを示している。
【００４９】
また、表１ではレンズ面のＺ成分がゼロで有るのに対し、表２では数値を持っている。Ｚ方向は相関方向垂直方向であり、光学系に平行偏心の成分が存在すると、光線も偏向が発生する。つまり、表１では、相関方向垂直方向に光線の偏向をさせないのに対し、表２では、偏向を発生させていることを示している。
以下、本実施形態の効果説明を、表１Ａの光学系で行う。
【００５０】
【表１】
2016038496.tif 000003
【００５１】
【表２】
2016038496.tif 000004
【００５２】
図１１は、相関垂直方向に偏心を行っていない光学系で、１次結像面中心を物点にとった、センサー上のスポット像を表している。Ｙ座標が相関方向、Ｚ座標が相関垂直方向であり、各座標のスケールサイズはそれぞれ０．０５０ｍｍである。
【００５３】
図１２は、２次結像レンズのレンズ部７’のレンズ面を、相関垂直方向に０．０８１ｍｍシフト（平行偏心）させたスポット像である。センサー上で０．１ｍｍ像を動かすことが可能であるが、図１２のようにスポット性能が劣化する。
【００５４】
図１３は、２次結像レンズ７のプリズム部７を、相関垂直方向に傾け（傾き偏心）、センサー上で０．１ｍｍ像を動かしたスポット像である。相関垂直方向に、多少のスポット性能の劣化が見られる。
【００５５】
スポット像の非相関方向の広がりをスポットサイズとして縦軸に、センサー上の像の移動量を横軸に、プリズム部とレンズ部の偏心を行い、数値をプロットしたのが図１３である。図１２と図１３を比較することで、プリズム部７の偏心よりも、レンズ部７’の偏心の方が、スポット形状の崩れ敏感度が高いことが分かる。
【００５６】
これより、プリズム部７の偏心により発生したスポット形状の崩れを、プリズム部７の偏心による方向とは逆方向にスポット形状の崩れが発生するようにレンズ部７’の偏心（平行偏心）を行うことで、スポット形状の補正を行うことができる。これにより、製品において、部品の製造誤差や組立誤差によりスポットの崩れ具合が大きく変化することがなくなり、より精度の高い焦点検出光学系が提供できる。
【００５７】
（数値実施例）
以下、本実施形態の好ましい数値例を説明する。プリズム面方向ベクトルのＺ成分による光線の偏向をキャンセルするように、レンズ面のＺ成分シフトにより光線の偏向が発生している。また、プリズム面とレンズ面のＺ成分の偏心が存在する光学系に対して、像がセンサー上で０．３６９ｍｍ移動しており、任意の像移動と良好なスポット性能を実現した光学系となっている。
【００５８】
（変形例）
以上、本発明の好ましい実施形態について説明したが、本発明はこれらの実施形態に限定されず、その要旨の範囲内で種々の変形及び変更が可能である。
【００５９】
（変形例１）
上述した実施形態では、プリズム部７をレンズ部７’の光線入射面に一体的にして設けたが、これに限らず、プリズム部７をレンズ部７’と独立に設けても良い。
【００６０】
（変形例２）
また、上述した実施形態では、偏向手段としてプリズムを用いたが、本発明はこれに限らず、物体像に基づく光束を相関方向とは交差する方向（好ましくは垂直方向）に、かつ互いに反対の方向に偏向できる光学部材であれば適用可能である。
【符号の説明】
【００６１】
７・・２次結像レンズのプリズム部、７’・・２次結像レンズのレンズ部
【図２】
2016038496.tif 000005
【図１】
2016038496.tif 000006
【図３】
2016038496.tif 000007
【図４】
2016038496.tif 000008
【図５】
2016038496.tif 000009
【図６】
2016038496.tif 000010
【図７】
2016038496.tif 000011
【図８】
2016038496.tif 000012
【図９】
2016038496.tif 000013
【図１０】
2016038496.tif 000014
【図１１】
2016038496.tif 000015
【図１２】
2016038496.tif 000016
【図１３】
2016038496.tif 000017
【図１４】
2016038496.tif 000018
【図１５】
2016038496.tif 000019